(57)【要約】      （修正有）【課題】人為起源エアロゾル粒子の氾濫により、大気中では植物微小粒子がエアロゾル粒子に融合されて減少の一途を辿っていると考えられる。植物微小粒子が極端に減少する事で人体の免疫力の低下は甚だしく、免疫力低下による体調不良者が増加する社会環境に於いて人工的に限られた室内空間に植物微小粒子を充満させ免疫力を高め健康な体質改善を行う事を課題とする。【解決手段】植物微小粒子発生噴出機１は、吸気口６と排出口９を備えた蓋１２付きのボックスで、ボックス内には送風ファン５、加熱ヒーター棒７、素材籠３、電気コード、熱センサーコントローラースイッチを組み込んだ構造である。空気流通がし易い粗め状態に練り固めた植物微小粒子の発生素材２を素材籠３に投入し、室内空間に植物微小粒子１１を噴出させる。【選択図】図２
2015164488.tif 000002
【特許請求の範囲】
【請求項１】
種々雑多な植物微小粒子を発生させ、限られた大きさの室内空間に植物微小粒子を噴出させる事を特徴とする機械装置。    
【発明の詳細な説明】
【技術分野】
【０００１】
本発明は、限られた室内空間に植物から発生する植物微小粒子を人為的技術によって充満させる機械製作の分野であり、地球上に生息する出来る限り多くの植物類を加熱させる等の技術によって植物微小粒子を大量に発生させる分野で、発生した植物微小粒子を人為的技術によって室内空間に拡散させる分野である。
【背景技術】
【０００２】
限られた室内空間に植物微小粒子を発生させる機器は世に沢山存在しますが、全ての機器はハーブ・樹木・柑橘・フローラル・スパイス系と単独に限定された植物系統の芳香微小粒子を噴霧又は噴煙させる機器で在り、種々雑多な匂いを感じさせないものも含む植物微小粒子を限られた室内に溜め込む目的の機器は見当たらない。
【０００３】
従来の植物微小粒子を噴霧、噴煙させる機器は、匂いを嗅ぐ事に依るリラックス・鎮静・刺激・催眠効果等を目的とするが、本発明は匂いを嗅ぐ目的だけでは無く、植物微小粒子を体内に吸収させる事を目的として健康な体質改善を行い健康な体質を維持させる機器、又は人為起源エアロゾル粒子に依って齎される体調不良を予防し緩和させる事を目的とする機器は見当たらない。
【発明の概要】
【発明が解決しようとする課題】
【０００４】
昔には存在しなかった人為起源エアロゾル粒子が最近の２００年足らずの短期間に地球全域を覆い尽くす迄になった。此のエアロゾル粒子が肺や皮膚の呼吸を通じて体内に侵入し臓器に蓄積してエアロゾル粒子障害とも言える体調不良で老若男女が苦しめられている。こうした体調不良者を、現在多く普及している健康療法とは全く違う植物微小粒子の癒し療法を用いて解決させる事を課題とする。
【０００５】
医学が進歩されたと言われる昨今、人為起源エアロゾル粒子に依る体調不良が蔓延しています。癌に至っては国民の２人に１人が癌に罹り３人に１人が癌で亡くなると言われる現代医療下に於いて、此れまでに行われていない健康回復療法によって体調不良者の予防を行い、現在増加し続けている体調不良者を少しでも多く解決させる事を課題とする。
【課題を解決するための手段】
【０００６】
フィトンチッド療法は自然な森林で樹木から放出させる自然起源植物微小粒子の揮発性芳香と殺菌作用を求める癒しであるが、最近は山深い森林に於いても、人為起源エアロゾル粒子が充満し必ずしも身体に良い森林浴が行えると断言出来得ない。こうした環境下で健康を保つ免疫力を強化させる植物微小粒子を大量に含む空気を確保させる事を課題として、限られた室内に人為的植物微小粒子を大量に発生させ人為起源の植物微小粒子を体内に吸収させる手段が要求される。こうした手段を可能とさせるには植物微小粒子を発生させる機械の確保が必要とされる。
【０００７】
人為起源エアロゾル粒子が存在し得なかった過去に進化した人間の免疫は人為起源エアロゾル粒子を見分けて排泄させる学習能力を持ち得なかったと考えられる。反面、体に害する汚れた植物系の微小粒子を排泄させる免疫学習能力は人類誕生以来６００万年の歳月を要して進化し続けてきたと考えられる。そこで植物物質の善し悪しが見分けられる免疫は、人為起源エアロゾル粒子と結合した植物微小粒子ならば体内老廃物として認識出来て汗や尿や糞として体外排泄させられる。此の排泄行為こそが人為起源エアロゾル粒子を体内より体外に排泄させられる唯一方法であると仮定する事から、本発明が掲げる植物微小粒子発生噴出機の利用が課題を解決させられる最良の方法である。既に人体内の全ての細胞が植物微小粒子を必要とされている以上、植物微小粒子を体内に吸収させ体内に蓄積するエアロゾル粒子と植物微小粒子を体内吸収させる手段が得られる機器が必要で、植物微小粒子発生噴出機を各家庭や職場に普及させなければならない。
【０００８】
現在世界で表示された（環境・安全管理用語辞典による）人間が精製する化学物質は１８００万種以上も存在し過半数が有害化学物質とされている。２００年足らずの短期間に人間の意向によって生産された人為起源のエアロゾル粒子は１０００万種類以上で此れ等のエアロゾル粒子の数は無限大であると想定される。こうしたエアロゾル粒子が起因する体調不全者の体内に蓄積されるエアロゾル粒子の成分の種類数もまた種々雑多であり膨大な数量である。此の膨大な種類と数量のエアロゾル粒子と結合させる膨大な種類と数量の植物微小粒子を体内に吸収させる事が本発明の中心課題である。又、エアロゾル粒子の化学原子と植物微小粒子の植物原子を結合させ体内老廃物を生成させる手段が重要で有り、これ等の要望を達成させるにはエアロゾル粒子に対抗させる空気中に浮遊する種々雑多な植物微小粒子を大量に体内に吸収させる機械装置を確保させる事を課題とする。
【０００９】
本発明により、体調不良者を健康体質者に導く解決方法の主役は種々雑多な植物が発生する植物微小粒子で有る。
【００１０】
種々雑多な植物類とは、種子植物、シダ植物、コケ植物、藻類植物、菌類植物、細菌植物の６分類の植物類を指し、６分類の植物類より1品種以上を含む合計50品種以上の植物を一堂に会し、大きな形状の茎や葉状態の植物は小さく砕き、一堂に会した全ての植物類を１ｃｍ〜ミクロ単位の合成粉末に製粉させた植物粉末を本発明の解決手段の主役として用いる。
【００１１】
種々雑多な植物の合成粉末は本発明に於ける主役で有るが、合成粉末状態で取り扱う事は粉末が飛散してしまう恐れがあり、取り扱い困難である故に合成粉末を飛散させない為に5ミリ〜3センチ大の固形物に加工させる、又は紙や布の袋に詰め込む、又は合成粉末をさらに小さなナノ単位の粉末に粉砕させて布や紙等に浸み込ませる、又はコーティングさせ飛散しない物質状態に変化させる、又はペレット状態にする事等を課題とする。粉末を固形物に製造させる際に用いる繋ぎ糊材は化学物質を含む糊は一切使用せず、芋類、海藻類、納豆菌等の植物性粘着材を用いて練り固め乾燥させて固形物とする。これ等の種々雑多な植物を加工した植物微小粒子を発生させる製品を本発明では発生素材と言う。
【００１２】
課題を解決させるために個室の中に於いて、岩盤を６０度に保たせた上に種々雑多な植物を加熱させ植物微小粒子を発生させる事で有る。こうした環境の植物微小粒子が充満した個室を作り5年間１５００人、延べ６０００人、一回に吸引させる時間は４０〜６０分を行った実験結果、誰一人として不満を申し出る者はなく、体調不良の悩みが緩和された者、健康体質に改善された者は数知れず現れている。種々雑多な植物の微小粒子を体内に摂り込むことでエアロゾル粒子に依る体調不良で悩み苦しむ方々が体調不全より解放された結果が得られる事は確実で有る。一日でも早く一人でも多くの体調不全で悩まれている方々を少しでも緩和させ、健康な方が一生体調不全に侵される事の無い様に植物微小粒子を体内吸収させて多くの国民を救う為の手段とする。
【００１３】
植物微小粒子を発生させる手段は植物微粒子発生素材を本発明で言う発生素材ボックスに収納し加熱させる。発生素材ボックス内で発生させた植物微小粒子を素材ボックス外に放出させる手段としては、素材ボックス底部より風圧を加え植物微小粒子を限られた室内に噴出させて室内空間に植物微小粒子を充満させる。  
【００１４】
種々雑多な植物微小粒子を効率よく発生させる方法は遠赤外線等の熱源を用いて発生素材を４０度〜１００度に高める方法を用いる。温度が高められた植物微小粒子の発生素材は熱線波動によって分解され植物微小粒子を大量発生させる。素材ボックス内に滞留する植物微小粒子を限られた室内空間に効率よく飛散させる手段として植物微小粒子発生噴出機内に設けた送風ファンの風圧を強くさせる事で効率を高める。
【発明の効果】
【００１５】
体調不良者はエアロゾル粒子が起因する体調不全で有ると考えられます。こうした体調不全を防止す為には体内に蓄積されたエアロゾル粒子を体内より体外に排泄させる事が何にも増して重要な事と考えられる。本発明による植物微小粒子発生噴出機は体調不全で悩む方の体質改善を行う効果は絶大です。本発明の植物微小粒子発生噴出機で発生する植物微小粒子を体内に摂り込む事で体内のエアロゾル粒子を体外に排泄させ体調不良者が体調不全の解消や予防が行え健康な体質改善の効果が得られる。
【００１６】
此の発明の効果に依って、健康な者は一生健康に過す事を可能とさせ、家族にあっては家族全員を健康に導き家庭の円満が図られ、国に於いては健康な国民が増加する事で社会保険制度の経費削減が図られ生活し易い国創りに貢献出来る効果は大きい。  
【図面の簡単な説明】
【００１７】
【図１】図１は植物微小粒子発生噴出機の姿図
【図２】図２は植物微小粒子発生噴出機の断面図
【発明を実施するための形態】
【００１８】
植物微小粒子を発生させる噴出機の形態を図面と符号を用いて説明する。本発明の植物微小粒子発生噴出機１の装置は、吸気口６と排出口９を備えた蓋１２付きのボックスで、ボックス内には送風ファン５、加熱ヒーター棒７、素材籠３、電気コード１０、熱センサーコントローラースイッチ８を組み込んだ構造である。此の構造形態の植物微小粒子１１の噴出機から限られた室内空間に植物微小粒子１１を噴出させる形態である。
【００１９】
空気流通がし易い粗め状態に練り固めた植物微小粒子の発生素材２を素材籠３に投入させる。投入された素材籠３は加熱ヒーター棒７を挿入させ加熱させる。加熱ヒーター棒７と素材籠３との挿入関係は熱を受け入れ易い構造としている。
【００２０】
植物微小粒子の発生素材２を取り替える為の蓋１２と電気を引き込む電源コード１０と発生素材２の植物微小粒子の発生率を加減させるコントローラースイッチ８も組み込まれた形態。
【００２１】
加熱ヒーター棒７に挿入された素材籠３の中に投入された植物微小粒子の発生素材２が加熱される事で、電気を熱源とする熱線波動によって植物微小粒子の発生素材２が粒子分解され易くなり、素材籠３の中に植物微小粒子１１が滞留状態となる。滞留した植物微小粒子１１を植物微小粒子発生噴出機１の噴出口９より植物微小粒子１１を噴出させ、限られた室内空間に植物微小粒子を効率よく充満させる為に、送風ファン５を設け給気口６より吸収した空気を風圧室４に吹きこみ加圧させ、加圧された空気が素材籠３を通過する際に素材籠３に滞留している植物微小粒子１１を伴って噴出口９より限られた室内空間に効率よく噴出させ、室内全域に植物微小粒子１１を充満させる事を特徴とする形態の植物微小粒子発生噴出機１の形態である。
【符号の説明】
【００２２】
１．植物微小粒子発生噴出機
２．発生素材
３. 素材籠
４. 風圧室
５. 送風ファン
６. 吸気口
７. 加熱ヒーター棒
８．コントローラースイッチ
９．噴出口
１０．電源コード
１１．植物微小粒子
１２．蓋
【図１】
2015164488.tif 000003
【図２】
2015164488.tif 000004